(57)【要約】【課題】  レーザ装置本体よりハンドピースにレーザ光を供給するフェルールと、レーザを導光するファイバの確実な固着構造を備えたレーザフェルールを提供する。【解決手段】  レーザ光を加療部位に導くファイバ１を、レーザ装置本体出光部に設置するフェルール１４の後部にテーパ部１４ａを設け、そのテーパ部１４ａにフィットするテーパ部１２ａを有する固定金具１２を取り付け、その後部から固定ネジ１３をフェルール１４に締め付け、ファイバ１をフェルール１４の任意の位置に固定する。これにより、レーザ照射時に入光部が焼けるなどの不具合は無くなり、またカシメ作業などでファイバ１が損傷することもない。そして組立て後の固定ナット１１の締め付けで、使用中に固定ネジ１３が緩みファイバ１が動くこともない。また固定ネジ１３を緩めることにより、容易にファイバ１をフェルール１４から取り外せ、ファイバ１の交換修理が可能である。【選択図】  図１
2008076629.tif 000002
【特許請求の範囲】
【請求項１】
レーザ装置本体出光部に接続し、治療用のハンドピース部にレーザ光を供給するレーザ入光部であるレーザフェルールにおいて、レーザを導光するファイバの固着構造であり、ファイバを被覆のまま前記フェルール本体に固着するため、内側のファイバ把持面を粗面化した固定用金具と、これを固着させる固定ネジとを備えていることを特徴とするレーザフェルール。
【請求項２】
前記ファイバ固定用金具と固定ネジにて、フェルール本体に固定されたファイバが、使用時の振動や衝撃による固定ネジの緩みにより抜けることを防止するための、緩み止め防止の固定ナットを備えていることを特徴とする請求項１に記載のレーザフェルール。
【発明の詳細な説明】
【技術分野】
【０００１】
本発明は、医療用レーザハンドピースのレーザフェルールに関し、更に詳しくはその入光部に関するものである。
【背景技術】
【０００２】
従来の例えば特開平５−１５７９３７（以下特許文献1と言う）に開示されているように、医療用レーザハンドピースの接続入光部は、被覆を除去した光ファイバの端部を、フェルールと呼ばれる筒状部材内部に固着することで構成されている。そのフェルールは光コネクタの外被であるナットグリッパに装着され、レーザ本体機器に接続されている。
【特許文献１】特開平５−１５７９３７
【発明の開示】
【発明が解決しようとする課題】
【０００３】
図４の（Ａ）に上記特許文献１のフェルールの構造を示す。この図においてファイバ１は、フェルール４の先端部に、被覆を取り去って耐熱性接着剤Ｐにて固着されている。この構造はレーザ本体にフェルール４を装着してレーザ光線を照射すると、次の現象が生じる。
すなわちレーザによってファイバ入光部Ｆｉに発生する熱で、ファイバ１を固着する耐熱性接着剤Ｐの許容温度以上に上昇した場合、当該接着剤Ｐは入光部へ融解噴出しファイバ１の端面に付着することがある。
すると、レーザ光線はその付着個所でさらに発熱し、ついにはフェルール４全体が焼けてしまう。これを防ぐために、図４の（Ｂ）のように接着剤Ｐを使用することなく、フェルール４の後部でファイバの被覆の上からカシメＫて固着する方法もあるが、ファイバ１は極めて脆い材質である上に、横方向から金属筒Ｔを圧縮するカシメ方式では、ファイバ１に折れや割れなどの損傷を与え、品質が安定しないなどの欠点がある。
本発明は接着剤Ｐを使用することなく、あるいはカシメＫすることなくファイバ１をフェルール４に固定し、前述の欠点を解決しようとするものである。
【課題を解決するための手段】
【０００４】
請求項１の発明は、レーザ光を導光するファイバ１を被覆のまま、内側のファイバ把持面を粗面化した固定用金具１２と、これを固着させる固定ネジ１３によってフェルールに固着させるものである。これにより接着剤を使用することなく、あるいはまたフェルール１４をカシメることなく、被覆されたファイバ１をフェルール１４に固着できるなどの効果がある。
【０００５】
請求項２の発明は、固定金具１２と固定ネジ１３によってファイバ１をフェルール１４に固着させた場合、使用中に振動や衝撃などで固定ネジ１３が緩み、フェルール１４からファイバ１が抜けるのを防止するものである。これにより固定ナット１１を使用して固定ネジ１３に締め付けることにより、固定ネジ１３が緩んでフェルール１４からファイバ１が抜けるのを防止する効果がある。
【発明の効果】
【０００６】
（１）固定金具と、これを固着する固定ネジによって、ファイバをフェルールに固着させる構造にした。このため固定金具によりファイバをフェルールに固着させた場合、ファイバを把持する固定金具の内側把持面を波状あるいはネジ状に粗面化することにより、テフロン（登録商標）などの柔らかな材質の被覆のファイバを被覆を除去することなく、また接着剤を使用することなく、あるいはまたフェルールをカシメることなく、ファイバをフェルールに確実に固着できるなどの効果がある。
固定金具と固定ネジによって、ファイバをフェルールに固着させた場合、使用中の振動や衝撃などで固定ネジが緩み、フェルールからファイバが抜けるおそれがあるが、本発明ではファイバをフェルールに固着させた固定ネジを、固定ナットを使用して締め付けることにより、固定ネジが緩んでフェルールからファイバが抜けるのを防止する効果がある。
【実施例】
【０００７】
以下図１ないし図２に従って本発明の一実施例を説明する。
図１はフェルールの全体を示す。図において先端部分の被覆を除去したファイバ１は、固定金具１２および固定ネジ１３を装着し、あらかじめ固定ナット１１を取り付けたフェルール１４の内部に挿入され、フェルール１４の先端に位置決めされる。
【０００８】
固定金具１２のテーパ部１２ａをフェルール１４の後部のテーパ部１４ａに挿入し、後部から固定ネジ１３を締め付けることにより、図３（Ａ）に示すように、ファイバ１を把持する把持面に波状あるいはネジ状の粗面部１２ｂを有し、テーパ部１２ａのスリワリ部１２ｂを有する固定金具１２が、ファイバの被覆の上からファイバ1をクサビ効果によって圧迫し、ファイバ１はフェルール１４に固着される。このときのファイバ1への圧迫力は、トルクレンチの使用によって最適値に制御され、把持部は面で作用するのでファイバ自体のダメージは少ない。またネジにより固着されているので、何度でも分解や修理が可能である。
尚、上記の実施例では、ファイバを把持する把持面を波状あるいはネジ状の粗面部１２ｂとしたが、かならずしもこれに限定されるものではなく、例えば梨地状の面等にしても良い。
【０００９】
そののちに、固定ナット１１を逆回しして、固定ネジ１３をしっかりと締め付け、使用中の振動や衝撃で固定ネジ１３が緩み、ファイバ１がフェルール１４から抜けることを防止する。
【００１０】
図２（Ａ）は、図1に示した外側のカバーであるナットグリッパ２や取付ネジ５などを取り去り、内部のフェルール部分のみの組立て構造を示し、図２（Ｂ）は分解した状態を示している。
【００１１】
図２（Ｂ）で、ファイバ1は先端部分の被覆が除去され、固定金具１２および固定ネジ１３を装着してから、あらかじめ固定ナット１１が装着されたフェルール１４に挿入される。フェルール１４の先端部分とファイバ１の先端の入光部Ｆｉの位置を合わせつつ、固定金具１２をフェルール１４後部のテーパ部１４ａに挿入する。
【００１２】
固定ネジ１３をフェルール１４のネジ部に取り付けて締め付けると、固定金具１２のテーパ部１２ａとフェルール１４のテーパ部１４ａとのクサビ効果で、スリワリ部１２ｃを有する固定金具の粗面部１２ｂは、被覆の上からファイバ1を圧迫しフェルール１４に固着する。その状態で固定ナット１１を逆回しして固定ネジ１３に締め付けると、図２（Ａ）の状態となる。
【図面の簡単な説明】
【００１３】
【図１】本発明のレーザフェルールの一実施例を示す全体の断面図である。
【図２】（Ａ）は、上記レーザフェルールの外被であるナットグリッパ部分を取り除いた状態の断面図を示し、（Ｂ）はその分解図である。
【図３】（Ａ）は、本考案の固定金具の縦断面図、（Ｂ）はその正面図であり、スリワリ部１２ｃは二つ割りの状態を示す。（Ｃ）はスリワリ部１２ｃが三つ割り状態の正面図である。（Ｄ）はスリワリ部１２ｃが四つ割り状態の正面図である。
【図４】従来のレーザフェルールの構造を示す断面図で、（Ａ）はファイバ1をフェルール１４に、耐熱性接着剤にて固着する方式の構成を示す断面図であり、（Ｂ）はフェルール４でファイバ１をカシメる方式の構成を示す断面図である。
【符号の説明】
【００１４】
１  ファイバ
２  ナットグリッパ
３  止めネジ
４  フェルール
５  Ｅリング
６  取付ネジ
１１  固定ナット
１２  固定金具
１３  固定ネジ
１４  フェルール
【図１】
2008076629.tif 000003
【図２】
2008076629.tif 000004
【図３】
2008076629.tif 000005
【図４】
2008076629.tif 000006